(57)【要約】【課題】ユーザによるタッチパネルを介した画像の編集操作を簡略化する。【解決手段】表示装置１００は、タッチパネル１４０と、タッチパネル１４０を介して接触領域を取得する取得手段１１１と、接触領域の形状が所定の条件を満たすか否かを判断する第１の判断手段１１２と、タッチパネルを介して所定の条件を満たさない第１の接触領域に対応する位置に画像を表示し、所定の条件を満たす第２の接触領域内の画像を消去する表示制御手段１１４とを備える。【選択図】図１４
2010224635.tif 000002
【特許請求の範囲】
【請求項１】
タッチパネルと、
前記タッチパネルを介して接触領域を取得する取得手段と、
前記接触領域の形状が所定の条件を満たすか否かを判断する第１の判断手段と、
前記タッチパネルを介して前記所定の条件を満たさない第１の接触領域に対応する位置に画像を表示し、前記所定の条件を満たす第２の接触領域内の前記画像を消去する表示制御手段とを備える、表示装置。
【請求項２】
前記第１の判断手段は、
前記接触領域の面積が所定の値以上であるか否かを判断し、
前記接触領域の面積が所定の値以上である場合に前記接触領域の形状が前記所定の条件を満たすと判断し、
前記接触領域の面積が所定の値未満である場合に前記接触領域の形状が前記所定の条件を満たさないと判断する、請求項１に記載の表示装置。
【請求項３】
前記取得手段が前記第２の接触領域を取得したときに、前記取得手段が最新の前記第１の接触領域を取得してから前記第２の接触領域を取得するまでの時間が所定の時間未満であるか否かを判断する第２の判断手段をさらに備え、
前記表示制御手段は、
前記取得手段が最新の前記第１の接触領域を取得してから前記第２の接触領域を取得するまでの時間が前記所定の時間未満である場合、最新の前記第１の接触領域に対応する前記画像を含む一連の画像を消去し、
前記取得手段が最新の前記第１の接触領域を取得してから前記第２の接触領域を取得するまでの時間が前記所定の時間以上である場合、前記第２の接触領域内の前記画像を消去する、請求項１または２に記載の表示装置。
【請求項４】
前記タッチパネルは、
入射光に応じて第１の電気信号を生成する複数の光センサ回路と、
第２の電気信号に応じて光を発する複数の画素回路とを含み、
前記取得手段は、前記複数の光センサ回路からの前記第１の電気信号に基づき、前記接触領域としての画像データを生成し、
前記表示制御手段は、前記画像に対応する前記第２の電気信号を前記複数の画素回路へ入力することによって、前記複数の画素回路に前記画像を表示させる、請求項１から３のいずれかに記載の表示装置。
【請求項５】
前記取得手段は、前記タッチパネルを介して一連の前記接触領域を手書き入力として取得し、
前記一連の接触領域に対応する一連の画像は、線画像である、請求項１から４のいずれかに記載の表示装置。
【請求項６】
タッチパネルと演算処理部とを備える表示装置における表示方法であって、
前記演算処理部が、前記タッチパネルを介して接触領域を取得するステップと、
前記演算処理部が、前記接触領域の形状が所定の条件を満たすか否かを判断するステップと、
前記演算処理部が、前記タッチパネルを介して前記所定の条件を満たさない第１の接触領域に対応する位置に画像を表示するステップと、
前記演算処理部が、前記所定の条件を満たす第２の接触領域内の前記画像を消去するステップとを備える、表示方法。
【請求項７】
タッチパネルと演算処理部とを備える表示装置に画像を表示させるための表示プログラムであって、
前記演算処理部に、
前記タッチパネルを介して接触領域を取得するステップと、
前記接触領域の形状が所定の条件を満たすか否かを判断するステップと、
前記タッチパネルを介して前記所定の条件を満たさない第１の接触領域に対応する位置に画像を表示するステップと、
前記所定の条件を満たす第２の接触領域内の前記画像を消去するステップとを実行させる、表示プログラム。
【発明の詳細な説明】
【技術分野】
【０００１】
本発明は、タッチパネルを介してユーザから命令を受け付けるとともに、当該タッチパネルを介して画像を表示することができる表示装置、表示方法、および表示プログラムに関する。
【背景技術】
【０００２】
従来から、タッチパネルを介してユーザから命令を受け付けるとともに、当該タッチパネルを介して画像やテキストを表示することができる表示装置が知られている。ユーザがスタイラスペンなどを介してタッチパネルに手書き入力すると、表示装置は当該タッチパネルを介して当該手書き入力に対応する線画像（手書き文字など）を表示する。ペンや指をタッチパネルに接触させることによって画像を編集する技術としては、以下のような技術が開示されている。
【０００３】
たとえば、特開平５−２２４８５３号公報（特許文献１）には、電子ボードが開示されている。特開平５−２２４８５３号公報（特許文献１）によると、電子ボードは、図形や文書を表示する表示手段と、前記表示手段上に表示すべき図形情報や文書情報を編集作成する編集手段と、前記表示手段上に表示すべき図形情報や文書情報及びそれらの表示位置情報を管理する表示入出力管理手段と、前記表示手段上に表示されている図形や文書の一部分を指示する入力手段と、指示位置を検出する位置検出手段とを有する。前記入力手段は入力対象とする表示物の種類に応じた編集加工の機能をもち、入力操作中の入力手段が入力操作の対象としている表示物の種類を判別する表示物判別手段と、入力操作中の入力手段が入力操作の対象としている表示物の種類に応じた編集加工の機能を選択する編集機能選択手段とを有する。
【０００４】
また、特開平７−１７５５８７号公報（特許文献２）には、情報処理装置が開示されている。特開平７−１７５５８７号公報（特許文献２）によると、机には平面ディスプレイがはめ込まれ、データが表示されている。また、机上には、現実物としてのファイルが置かれている。机にはカメラが設置されており、表示されているデータと、現実物と、操作者の手の状態が撮像される。処理装置は、手の動作から操作者の意図を理解してその意図に沿った動作を行なう。例えば、操作者がデータを手でファイル方向に移動させる動作をしたときはデータをファイル方向に移動して表示し、ある距離に近づいたときはそのデータを図示しない記憶装置内にファイルする。例えばファイルの代わりにＦＡＸ送信機が机上においてあり、データをＦＡＸ送信機方向に移動して重ねたときそのデータを自動的にＦＡＸする。
【０００５】
また、特開２００４−１９９１８１号公報（特許文献３）には、座標入力装置、ディスプレイ装置が開示されている。特開２００４−１９９１８１号公報（特許文献３）によると、表示画面上がユーザの所持するペンマウス等によってタッチされると、そのタッチ部分の座標が検出される。ユーザがペンマウスを所持してタッチする操作の際には、ペンマウスの先端がタッチするのみならず、ペンマウスを所持する手の甲がタッチしてしまうことがある。かかる場合に、演算部は所定時間内における各タッチ部分の移動量を求め、当該移動量の大きいタッチ部分を選択し、選択したタッチ部分の座標データを出力する。
【先行技術文献】
【特許文献】
【０００６】
【特許文献１】特開平５−２２４８５３号公報
【特許文献２】特開平７−１７５５８７号公報
【特許文献３】特開２００４−１９９１８１号公報
【発明の概要】
【発明が解決しようとする課題】
【０００７】
しかしながら、従来のタッチパネルを有する表示装置においては、ユーザが手書き画像を入力する際に、たとえば「線をひく」、「消しゴムで消す」といった項目（アイコンなど）を一旦選択してから、当該項目に対応する操作をタッチパネルを介して表示装置へと入力していた。すなわち、手書き入力するための入力操作が煩雑であった。
【０００８】
本発明は、このような問題を解決するためになされたものであり、その目的は、ユーザによるタッチパネルを介した画像の編集操作を簡略化することである。
【課題を解決するための手段】
【０００９】
この発明のある局面に従うと、表示装置が提供される。表示装置は、タッチパネルと、タッチパネルを介して接触領域を取得する取得手段と、接触領域の形状が所定の条件を満たすか否かを判断する第１の判断手段と、タッチパネルを介して所定の条件を満たさない第１の接触領域に対応する位置に画像を表示し、所定の条件を満たす第２の接触領域内の画像を消去する表示制御手段とを備える。
【００１０】
好ましくは、第１の判断手段は、接触領域の面積が所定の値以上であるか否かを判断し、接触領域の面積が所定の値以上である場合に接触領域の形状が所定の条件を満たすと判断し、接触領域の面積が所定の値未満である場合に接触領域の形状が所定の条件を満たさないと判断する。
【００１１】
好ましくは、表示装置は、取得手段が第２の接触領域を取得したときに、取得手段が最新の第１の接触領域を取得してから第２の接触領域を取得するまでの時間が所定の時間未満であるか否かを判断する第２の判断手段をさらに備える。表示制御手段は、取得手段が最新の第１の接触領域を取得してから第２の接触領域を取得するまでの時間が所定の時間未満である場合、最新の第１の接触領域に対応する画像を含む一連の画像を消去し、取得手段が最新の第１の接触領域を取得してから第２の接触領域を取得するまでの時間が所定の時間以上である場合、第２の接触領域内の画像を消去する。
【００１２】
好ましくは、タッチパネルは、入射光に応じて第１の電気信号を生成する複数の光センサ回路と、第２の電気信号に応じて光を発する複数の画素回路とを含む。取得手段は、複数の光センサ回路からの第１の電気信号に基づき、接触領域としての画像データを生成する。表示制御手段は、画像に対応する第２の電気信号を複数の画素回路へ入力することによって、複数の画素回路に画像を表示させる。
【００１３】
好ましくは、取得手段は、タッチパネルを介して一連の接触領域を手書き入力として取得する。一連の接触領域に対応する一連の画像は、線画像である。
【００１４】
この発明の別の局面に従うと、タッチパネルと演算処理部とを備える表示装置における表示方法が提供される。表示方法は、演算処理部が、タッチパネルを介して接触領域を取得するステップと、演算処理部が、接触領域の形状が所定の条件を満たすか否かを判断するステップと、演算処理部が、タッチパネルを介して所定の条件を満たさない第１の接触領域に対応する位置に画像を表示するステップと、演算処理部が、所定の条件を満たす第２の接触領域内の画像を消去するステップとを備える。
【００１５】
この発明の別の局面に従うと、タッチパネルと演算処理部とを備える表示装置に画像を表示させるための表示プログラムが提供される。表示プログラムは、演算処理部に、タッチパネルを介して接触領域を取得するステップと、接触領域の形状が所定の条件を満たすか否かを判断するステップと、タッチパネルを介して所定の条件を満たさない第１の接触領域に対応する位置に画像を表示するステップと、所定の条件を満たす第２の接触領域内の画像を消去するステップとを実行させる。
【発明の効果】
【００１６】
以上のように、本発明によって、ユーザによるタッチパネルを介した画像の編集操作が簡略化される。
【図面の簡単な説明】
【００１７】
【図１】本実施の形態に係る電子機器１００の動作概要を示す第１のイメージ図である。
【図２】本実施の形態に係る電子機器１００の動作概要を示す第２のイメージ図である。
【図３】電子機器のハードウェア構成を表わすブロック図である。
【図４】タッチパネルの構成と当該タッチパネルの周辺回路とを示した図である。
【図５】タッチパネルとバックライトとの断面図である。
【図６】光センサ回路を動作させる際のタイミングチャートを示した図である。
【図７】スキャンの際にフォトダイオードがバックライトからの光を受光する構成を示した断面図である。
【図８】センシングコマンドの概略構成を示した図である。
【図９】センシングコマンドの各領域におけるデータの値と当該値が示す意味内容とを示した図である。
【図１０】応答データの概略構成を示した図である。
【図１１】指をスキャンすることにより得られた画像を示した図である。
【図１２】光センサ内蔵液晶パネルの変形例を示す回路図である。
【図１３】スキャンの際にフォトダイオードが外光を受光する構成を示した断面図である。
【図１４】本実施の形態に係る電子機器の機能構成を示すブロック図である。
【図１５】タッチパネルおよび取得部にて２つ以上の接触領域が検知された場合の電子機器と生成された画像データとを示すイメージ図である。
【図１６】本実施の形態に係る電子機器における表示処理の処理手順を示すイメージ図である。
【発明を実施するための形態】
【００１８】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１９】
＜電子機器１００の概略構成＞
まず、図１を参照して、タッチパネルを有する表示装置の一例としての、本実施の形態に係る光センサ内蔵液晶パネル１４０（以下、タッチパネル１４０ともいう）を有する電子機器１００の概略構成について説明する。なお、電子機器１００は、ＰＤＡ（Personal Digital Assistant）、パーソナルコンピュータ、携帯型電話機、電子辞書などの情報機器によって実現される。
【００２０】
図１は、本実施の形態に係る電子機器１００の動作概要を示す第１のイメージ図である。より詳細には、図１（Ａ）は、スタイラスペン９９によってタッチパネル１４０に第１の手書き画像が入力されたときのイメージ図である。図１（Ｂ）は、スタイラスペン９９によってタッチパネル１４０に第２の手書き画像が入力されたときのイメージ図である。図１（Ｃ）は、タッチパネル１４０への入力が完了したときの第１のイメージ図である。図１（Ｄ）は、指９００がタッチパネル１４０の第１の手書き画像にタッチしたときイメージ図である。図１（Ｅ）は、タッチパネル１４０への入力が完了したときの第２のイメージ図である。
【００２１】
電子機器１００は、タッチパネル１４０と、操作キー１７７とを含む。タッチパネル１４０は、ユーザから手書き入力命令を受け付けるともともに、当該手書き入力命令に対応する手書き画像を表示する。本実施の形態に係るタッチパネル１４０は、外部の物体とタッチパネル１４０との接触領域を検知することができる。タッチパネルは、本実施の形態に係る光センサ内臓液晶パネル１４０であってもよいし、多数の接触位置が検知できる静電容量方式や赤外線方式のタッチパネルであっても良い。操作キー１７７も、操作命令を受け付ける。
【００２２】
＜電子機器１００の動作概要＞
次に、本実施の形態に係る電子機器１００の動作概要について説明する。まず、図１（Ａ）を参照して、ユーザがスタイラスペン９９をタッチパネル１４０上でスライドさせる。電子機器１００は、スタイラスペン９９のスライド操作（第１の手書き入力命令）を検知して、当該スライド操作に対応する第１の手書き画像（第１の線画像）をタッチパネル１４０に表示する。
【００２３】
図１（Ｂ）を参照して、再度、ユーザがスタイラスペン９９をタッチパネル１４０上でスライドさせる。電子機器１００は、スタイラスペン９９のスライド操作（第２の手書き入力命令）を検知して、当該スライド操作に対応する第２の手書き画像（第２の線画像）をタッチパネル１４０に表示する。
【００２４】
その結果、図１（Ｃ）を参照して、電子機器１００は、タッチパネル１４０に第１の手書き画像と第２の手書き画像とを表示する。
【００２５】
一方、図１（Ｄ）を参照して、電子機器１００がタッチパネル１４０に第１の手書き画像を表示している状態において、ユーザが指９００で第１の手書き画像にタッチする。図１（Ｅ）を参照して、電子機器１００は、第１の手書き画像のうち、ユーザの指９００がタッチした領域（接触領域）に対応する部分（線画像の一部）を消去する。すなわち、電子機器１００は、ユーザの指９００がタッチした領域以外の第１の手書き画像をタッチパネル１４０に表示させる。
【００２６】
このように、本実施の形態に係る電子機器１００は、スタイラスペン９９がタッチパネル１４０にタッチした領域（第１の接触領域）に基づいて手書き画像を描画する。そして、電子機器１００は、指９００がタッチパネル１４０にタッチした領域（第２の接触領域）に基づいて、既に描画されている画像のうち第２の接触領域内に位置する部分を削除する。
【００２７】
その結果、ユーザは、手書き画像を消去するためのアイコン（消しゴムのアイコンなど）を選んだり、手書き画像を描画するためのアイコン（ペンのアイコンなど）を再度選んだりする必要がなくなる。換言すれば、ユーザは、アイコンを選びなおすことなく、描画命令および消去命令を電子機器１００に入力することができる。すなわち、ユーザによるタッチパネル１４０を介しての入力操作をより簡略化することができる。
【００２８】
さらに、本実施の形態に係る電子機器１００は、以下のような機能も有する。図２は、本実施の形態に係る電子機器１００の動作概要を示す第２のイメージ図である。より詳細には、図２（Ａ）は、スタイラスペン９９によってタッチパネル１４０に第１の手書き画像が入力されたときのイメージ図である。図２（Ｂ）は、第１の手書き画像の入力後所定時間以内に指９００がタッチパネル１４０の第１の手書き画像にタッチしたときイメージ図である。図１（Ｃ）は、タッチパネル１４０への入力が完了したときの第１のイメージ図である。図１（Ｄ）は、第１の手書き画像の入力後所定時間経過後に指９００がタッチパネル１４０の第１の手書き画像にタッチしたときイメージ図である。図１（Ｅ）は、タッチパネル１４０への入力が完了したときの第２のイメージ図である。
【００２９】
まず、図２（Ａ）を参照して、ユーザがスタイラスペン９９をタッチパネル１４０上でスライドさせる。電子機器１００は、スタイラスペン９９のスライド操作（第１の手書き入力命令）を検知して、当該スライド操作に対応する第１の手書き画像（第１の線画像）をタッチパネル１４０に表示する。
【００３０】
図１（Ｂ）を参照して、ユーザが、スタイラスペン９９をタッチパネル１４０から持ち上げた直後に、指９００で第１の手書き画像にタッチする。すなわち、スタイラスペン９９がタッチパネル１４０から持ち上げられたことが検知されてから所定時間（たとえば１秒間）が経過する前に、ユーザが指９００を第１の手書き画像にタッチさせる。図１（Ｃ）を参照して、電子機器１００は第１の手書き画像を消去する。
【００３１】
一方、図１（Ｄ）を参照して、ユーザが、スタイラスペン９９をタッチパネル１４０から持ち上げてから所定時間経過後に、指９００で第１の手書き画像にタッチする。すなわち、スタイラスペン９９がタッチパネル１４０から持ち上げられたことが検知されてから所定時間経過後に、ユーザが指９００を第１の手書き画像にタッチさせる。図１（Ｅ）を参照して、電子機器１００は、第１の手書き画像のうち、指９００とタッチパネル１４０との接触領域（第２の領域）内に位置する部分を消去する。
【００３２】
このように、本実施の形態に係る電子機器１００は、第１の手書き画像が入力された直後に指９００が当該第１の手書き画像にタッチすると当該第１の手書き画像全体を消去する。一方、電子機器１００は、第１の手書き画像が入力されてから所定時間が経過してから指９００が当該第１の手書き画像にタッチすると指９００の接触領域内の画像のみを消去する。
【００３３】
これによって、ユーザは、第１の手書き画像の全部に指９００でタッチしなくても、第１の手書き画像の全部を削除することができる。すなわち、ユーザによるタッチパネルを介しての入力操作を簡略化することができる。
【００３４】
以下、このような機能を実現するための構成について詳述する。
＜電子機器１００のハードウェア構成＞
次に、本実施の形態に係る電子機器１００の具体的構成の一態様について説明する。図３は、本実施の形態に係る電子機器１００のハードウェア構成を表わすブロック図である。図３を参照して、電子機器１００は、主たる構成要素として、本体装置１０１と、表示装置１０２とを含む。
【００３５】
本体装置１０１は、ＣＰＵ（Central  Processing  Unit）１１０と、ＲＡＭ（Random  Access  Memory）１７１と、ＲＯＭ（Read-Only  Memory）１７２と、メモリカードリーダライタ１７３と、通信部１７４と、マイク１７５と、スピーカ１７６と、操作キー１７７とを含む。各構成要素は、相互にデータバスＤＢ１によって接続されている。メモリカードリーダライタ１７３には、メモリカード１７３１が装着される。
【００３６】
ＣＰＵ１１０は、プログラムを実行する。操作キー１７７は、電子機器１００の使用者による指示の入力を受ける。ＲＡＭ１７１は、ＣＰＵ１１０によるプログラムの実行により生成されたデータ、または操作キー１７７を介して入力されたデータを揮発的に格納する。ＲＯＭ１７２は、データを不揮発的に格納する。また、ＲＯＭ１７２は、ＥＰＲＯＭ（Erasable  Programmable  Read-Only  Memory）やフラッシュメモリなどの書き込みおよび消去が可能なＲＯＭである。通信部１７４は、図示しない他の電子機器との間で無線通信を行なう。なお、図３には図示していないが、電子機器１００が、他の電子機器に有線により接続するためのインターフェイス（ＩＦ）を含む構成としてもよい。
【００３７】
表示装置１０２は、ドライバ１３０と、光センサ内蔵液晶パネル１４０（タッチパネル１４０）と、内部ＩＦ１７８と、バックライト１７９と、画像処理エンジン１８０とを含む。
【００３８】
ドライバ１３０は、タッチパネル１４０およびバックライト１７９を駆動するための駆動回路である。ドライバ１３０に含まれる各種の駆動回路については、後述する。
【００３９】
タッチパネル１４０は、液晶ディスプレイの機能と光センサの機能とを備えたデバイスである。つまり、タッチパネル１４０は、液晶を用いた画像の表示と、光センサを用いたセンシングとを行なうことができる。タッチパネル１４０の詳細については、後述する。
【００４０】
内部ＩＦ（Interface）１７８は、本体装置１０１と表示装置１０２との間で、データの遣り取りを仲介する。
【００４１】
バックライト１７９は、タッチパネル１４０の裏面に配置された光源である。バックライト１７９は、当該裏面に対して均一な光を照射する。
【００４２】
画像処理エンジン１８０は、ドライバ１３０を介してタッチパネル１４０の動作を制御する。ここで、当該制御は、内部ＩＦ１７８を介して本体装置１０１から送られてくる各種データに基づいて行われる。なお、当該各種データは、後述するコマンドを含む。また、画像処理エンジン１８０は、タッチパネル１４０から出力されるデータを処理し、処理したデータを内部ＩＦ１７８を介して本体装置１０１に送る。さらに、画像処理エンジン１８０は、ドライバ制御部１８１と、タイマ１８２と、信号処理部１８３とを含む。
【００４３】
ドライバ制御部１８１は、ドライバ１３０に対して制御信号を送ることによりドライバ１３０の動作を制御する。また、ドライバ制御部１８１は、本体装置１０１から送られてくるコマンドを解析する。そして、ドライバ制御部１８１は、当該解析の結果に基づいた制御信号をドライバ１３０に送る。ドライバ１３０の動作の詳細については、後述する。
【００４４】
タイマ１８２は、時刻情報を生成し、信号処理部１８３に対して時刻情報を送る。
信号処理部１８３は、上記光センサから出力されるデータを受け取る。ここで、上記光センサから出力されるデータはアナログデータであるため、信号処理部１８３は、まず当該アナログデータをデジタルデータに変換する。さらに、信号処理部１８３は、当該デジタルデータに対して、本体装置１０１から送られてくるコマンドの内容に応じたデータ処理を行なう。そして、信号処理部１８３は、上記データ処理を行った後のデータと、タイマ１８２から取得した時刻情報とを含んだデータ（以下、応答データと称する）を本体装置１０１に送る。また、信号処理部１８３は、後述するスキャンデータを連続して複数格納できるＲＡＭ（図示せず）を備えている。
【００４５】
上記コマンドは、上記光センサによりセンシングを指示するセンシングコマンドを含む。当該センシングコマンドの詳細および上記応答データの詳細については、後述する（図８〜図１０）。
【００４６】
なお、タイマ１８２は、必ずしも画像処理エンジン１８０に備えられている必要はない。たとえば、タイマ１８２は、表示装置１０２内における、画像処理エンジン１８０の外部に備えられていてもよい。あるいは、タイマ１８２は、本体装置１０１に備えられていてもよい。また、マイク１７５およびスピーカ１７６は、電子機器１００が常に含む構成ではなく、電子機器１００の実施例によっては、マイク１７５およびスピーカ１７６のいずれかあるいは両方を有さない構成であってもよい。
【００４７】
ここで、表示装置１０２は、システム液晶を含んでいる。なお、システム液晶とは、タッチパネル１４０の周辺機器を当該タッチパネル１４０のガラス基板上に一体形成することにより得られるデバイスである。本実施の形態では、ドライバ１３０（バックライト１７９を駆動する回路を除く）と、内部ＩＦ１７８と、画像処理エンジン１８０とが、タッチパネル１４０のガラス基板上に一体形成されている。なお、表示装置１０２が、必ずしもシステム液晶を用いて構成されている必要はなく、ドライバ１３０（バックライト１７９を駆動する回路を除く）と、内部ＩＦ１７８と、画像処理エンジン１８０とが、上記ガラス基板以外の基板に構成されていてもよい。
【００４８】
ところで、電子機器１００における処理は、各ハードウェアおよびＣＰＵ１１０により実行されるソフトウェアによって実現される。このようなソフトウェアは、ＲＯＭ１７２に予め記憶されている場合がある。また、ソフトウェアは、メモリカード１７３１その他の記憶媒体に格納されて、プログラム製品として流通している場合もある。あるいは、ソフトウェアは、いわゆるインターネットに接続されている情報提供事業者によってダウンロード可能なプログラム製品として提供される場合もある。このようなソフトウェアは、メモリカードリーダライタ１７３その他の読取装置によりその記憶媒体から読み取られて、あるいは、通信部１７４または通信ＩＦ（図示せず）を介してダウンロードされた後、ＲＯＭ１７２に一旦格納される。そのソフトウェアは、ＣＰＵ１１０によってＲＯＭ１７２から読み出され、ＲＡＭ１７１に実行可能なプログラムの形式で格納される。ＣＰＵ１１０は、そのプログラムを実行する。
【００４９】
図３に示される電子機器１００の本体装置１０１を構成する各構成要素は、一般的なものである。したがって、本実施の形態の本質的な部分は、ＲＡＭ１７１、ＲＯＭ１７２、メモリカード１７３１その他の記憶媒体に格納されたソフトウェア、あるいはネットワークを介してダウンロード可能なソフトウェアであるともいえる。なお、電子機器１００の本体装置１０１のハードウェアの動作は周知であるので、詳細な説明は繰り返さない。
【００５０】
なお、記憶媒体としては、メモリカードに限られず、ＣＤ−ＲＯＭ、ＦＤ（Flexible  Disk）、ハードディスク、磁気テープ、カセットテープ、光ディスク（ＭＯ（Magnetic  Optical  Disc）／ＭＤ（Mini  Disc）／ＤＶＤ（Digital  Versatile  Disc））、ＩＣ（Integrated  Circuit）カード（メモリカードを除く）、光カード、マスクＲＯＭ、ＥＰＲＯＭ、ＥＥＰＲＯＭ（Electronically  Erasable  Programmable  Read-Only  Memory）、フラッシュＲＯＭなどの半導体メモリ等の固定的にプログラムを格納する媒体でもよい。
【００５１】
ここでいうプログラムとは、ＣＰＵにより直接実行可能なプログラムだけでなく、ソースプログラム形式のプログラム、圧縮処理されたプログラム、暗号化されたプログラム等を含む。
【００５２】
＜タッチパネル１４０の構成および駆動について＞
次に、タッチパネル１４０の構成と、当該タッチパネル１４０の周辺回路の構成とについて説明する。図４は、タッチパネル１４０の構成と、当該タッチパネル１４０の周辺回路とを示した図である。
【００５３】
図４を参照して、タッチパネル１４０は、画素回路１４１と、光センサ回路１４４と、走査信号線Ｇｉと、データ信号線ＳＲｊと、データ信号線ＳＧｊと、データ信号線ＳＢｊと、センサ信号線ＳＳｊと、センサ信号線ＳＤｊと、読出信号線ＲＷｉと、リセット信号線ＲＳｉとを含む。なお、ｉは、１≦ｉ≦ｍを満たす自然数であり、ｊは１≦ｊ≦ｎを満たす自然数である。
【００５４】
また、図３に示した表示装置１０２のドライバ１３０は、タッチパネル１４０の周辺回路として、走査信号線駆動回路１３１と、データ信号線駆動回路１３２と、光センサ駆動回路１３３と、スイッチ１３４と、アンプ１３５とを含む。
【００５５】
走査信号線駆動回路１３１は、図３に示すドライバ制御部１８１から制御信号ＴＣ１を受ける。そして、走査信号線駆動回路１３１は、制御信号ＴＣ１に基づき、各走査信号線（Ｇ１〜Ｇｍ）に対して、走査信号線Ｇ１から順に予め定められた電圧を印加する。より詳しくは、走査信号線駆動回路１３１は、単位時間毎に走査信号線（Ｇ１〜Ｇｍ）の中から１つの走査信号線を順次選択し、当該選択した走査信号線に対して後述するＴＦＴ（Thin  Film  Transistor）１４２のゲートをターンオンできるだけの電圧（以下、ハイレベル電圧）を印加する。なお、選択されていない走査信号線に対しては、ハイレベル電圧を印加することなく、ローレベル電圧を印加したままとする。
【００５６】
データ信号線駆動回路１３２は、図３に示すドライバ制御部１８１から画像データ（ＤＲ，ＤＧ，ＤＢ）を受ける。そして、データ信号線駆動回路１３２は、３ｎ個のデータ信号線（ＳＲ１〜ＳＲｎ，ＳＧ１〜ＳＧｎ，ＳＢ１〜ＳＢｎ）に対して、上記単位時間毎に、１行分の画像データに対応する電圧を順次印加する。
【００５７】
なお、ここでは、いわゆる線順次方式と呼ばれる駆動方式を用いて説明したが、駆動方式はこれに限定されるものではない。
【００５８】
画素回路１４１は、１つの画素の輝度（透過率）を設定するための回路である。また、画素回路１４１は、マトリクス状にｍ×ｎ個配されている。より詳しくは、画素回路１４１は、図４の縦方向にｍ個、横方向にｎ個配されている。
【００５９】
画素回路１４１は、Ｒサブピクセル回路１４１ｒと、Ｇサブピクセル回路１４１ｇと、Ｂサブピクセル回路１４１ｂとからなる。これら３つの回路（１４１ｒ，１４１ｇ，１４１ｂ）は、それぞれ、ＴＦＴ１４２と、画素電極と対向電極とからなる１組の電極対１４３と、図示しないコンデンサとを含む。
【００６０】
なお、ｎ型のトランジスタとｐ型のトランジスタとを作れるＣＭＯＳ（Complementary  Metal  Oxide  Semiconductor）を実現できること、キャリア（電子または正孔）の移動速度がアモルファスシリコン薄膜トランジスタ（a-Si  TFT）に比べて数百倍早いことなどから、表示装置１０２では、ＴＦＴ１４２として多結晶シリコン薄膜トランジスタ(p-Si  TFT)が用いられる。なお、ＴＦＴ１４２は、ｎ型チャネルの電界効果トランジスタであるとして説明する。ただし、ＴＦＴ１４２がｐ型チャネルの電界効果トランジスタであってもよい。
【００６１】
Ｒサブピクセル回路１４１ｒ内のＴＦＴ１４２のソースはデータ信号線ＳＲｊに接続されている。また、当該ＴＦＴ１４２のゲートは走査信号線Ｇｉに接続されている。さらに、当該ＴＦＴ１４２のドレインは、電極対１４３の画素電極に接続される。そして、画素電極と対向電極との間には、液晶が配される。なお、Ｇサブピクセル回路１４１ｇおよびＢサブピクセル回路１４１ｂについても、各ＴＦＴ１４２のソースが接続されるデータ信号線が異なる以外は、Ｒサブピクセル回路１４１ｒと同じ構成である。このため、これら２つの回路（１４１ｇ，１４１ｂ）についての説明は、繰り返さない。
【００６２】
ここで、画素回路１４１における輝度の設定について説明する。まず、走査信号線Ｇｉに上記ハイレベル電圧を印加する。当該ハイレベル電圧の印加により、ＴＦＴ１４２のゲートがターンオンする。このようにＴＦＴ１４２のゲートがターンオンした状態で、各データ信号線（ＳＲｊ，ＳＧｊ，ＳＢｊ）に対して、それぞれ指定された電圧（１画素分の画像データに対応する電圧）を印加する。これにより、当該指定された電圧に基づいた電圧が画素電極に印加される。その結果、画素電極と対向電極との間に電位差が生じる。この電位差に基づいて、液晶が応答し、画素の輝度は予め定められた輝度に設定される。なお、当該電位差は、上記図示しないコンデンサ（補助容量）によって、次のフレーム期間において走査信号線Ｇｉが選択されるまで保持される。
【００６３】
光センサ駆動回路１３３は、図３に示すドライバ制御部１８１から制御信号ＴＣ２を受ける。
【００６４】
そして、光センサ駆動回路１３３は、制御信号ＴＣ２に基づき、単位時間毎にリセット信号線（ＲＳ１〜ＲＳｍ）の中から１つの信号線を順次選択し、当該選択した信号線に対して、予め定められたタイミングで通常よりもハイレベルな電圧ＶＤＤＲを印加する。なお、選択されていないリセット信号線に対しては、選択されたリセット信号線に印加した電圧よりも低い電圧ＶＳＳＲを印加したままとする。たとえば、電圧ＶＤＤＲを０Ｖに、電圧ＶＳＳＲを−５Ｖに設定すればよい。
【００６５】
また、光センサ駆動回路１３３は、制御信号ＴＣ２に基づき、単位時間毎に読出信号線（ＲＷ１〜ＲＷｍ）の中から１つの信号線を順次選択し、当該選択した信号線に対して、予め定められたタイミングで通常よりもハイレベルな電圧ＶＤＤを印加する。なお、選択されていない読出信号線に対しては、上記電圧ＶＳＳＲを印加したままとする。たとえば、ＶＤＤの値を８Ｖに設定すればよい。
【００６６】
なお、電圧ＶＤＤＲを印加するタイミング、および電圧ＶＤＤを印加するタイミングについては、後述する。
【００６７】
光センサ回路１４４は、フォトダイオード１４５と、コンデンサ１４６と、ＴＦＴ１４７とを含む。なお、以下では、ＴＦＴ１４７がｎ型チャネルの電界効果トランジスタであるとして説明する。ただし、ＴＦＴ１４７がｐ型チャネルの電界効果トランジスタであってもよい。
【００６８】
フォトダイオード１４５のアノードは、リセット信号線ＲＳｉに接続されている。一方、フォトダイオード１４５のカソードは、コンデンサ１４６の一方の電極に接続されている。また、コンデンサ１４６の他方の電極は、読出信号線ＲＷｉに接続されている。なお、以下では、フォトダイオード１４５とコンデンサ１４６との接続点をノードＮと称する。
【００６９】
ＴＦＴ１４７のゲートは、ノードＮに接続されている。また、ＴＦＴ１４７のドレインは、センサ信号線ＳＤｊに接続されている。さらに、ＴＦＴ１４７のソースは、センサ信号線ＳＳｊに接続されている。光センサ回路１４４を用いたセンシングの詳細については、後述する。
【００７０】
スイッチ１３４は、センサ信号線（ＳＤ１〜ＳＤｎ）に対して、予め定められた電圧を印加するか否かを切り換えるために設けられたスイッチである。スイッチ１３４の切り換え動作は、光センサ駆動回路１３３により行われる。なお、スイッチ１３４が導通状態となった場合にセンサ信号線（ＳＤ１〜ＳＤｎ）に印加される電圧については、後述する。
【００７１】
アンプ１３５は、各センサ信号線（ＳＳ１〜ＳＳｎ）から出力された電圧を増幅する。なお、増幅された電圧は、図３に示した信号処理部１８３に送られる。
【００７２】
なお、画素回路１４１を用いて画像をタッチパネル１４０に表示させるタイミングと、光センサ回路１４４を用いてセンシングするタイミングとについては、画像処理エンジン１８０が制御する。
【００７３】
図５は、タッチパネル１４０とバックライト１７９との断面図である。図５を参照して、タッチパネル１４０は、アクティブマトリクス基板１５１Ａと、対向基板１５１Ｂと、液晶層１５２とを含む。対向基板１５１Ｂは、アクティブマトリクス基板１５１Ａに対向して配されている。液晶層１５２は、アクティブマトリクス基板１５１Ａと対向基板１５１Ｂとに挟まれている。バックライト１７９は、アクティブマトリクス基板１５１Ａに関し液晶層１５２と反対側に配されている。
【００７４】
アクティブマトリクス基板１５１Ａは、偏光フィルタ１６１と、ガラス基板１６２と、電極対１４３を構成する画素電極１４３ａと、フォトダイオード１４５と、データ信号線１５７と、配向膜１６４とを含む。さらに、図５には示していないが、アクティブマトリクス基板１５１Ａは、図４に示した、コンデンサ１４６と、ＴＦＴ１４７と、ＴＦＴ１４２と、走査信号線Ｇｉとを含む。
【００７５】
また、アクティブマトリクス基板１５１Ａにおいては、バックライト１７９側から、偏光フィルタ１６１、ガラス基板１６２、画素電極１４３ａ、および配向膜１６４が、この順に配されている。フォトダイオード１４５とデータ信号線１５７とは、ガラス基板１６２の液晶層１５２側に形成されている。
【００７６】
対向基板１５１Ｂは、偏光フィルタ１６１と、ガラス基板１６２と、遮光膜１６３と、カラーフィルタ（１５３ｒ，１５３ｇ，１５３ｂ）と、電極対１４３を構成する対向電極１４３ｂと、配向膜１６４とを含む。
【００７７】
また、対向基板１５１Ｂにおいては、液晶層１５２側から、配向膜１６４、対向電極１４３ｂ、カラーフィルタ（１５３ｒ，１５３ｇ，１５３ｂ）、ガラス基板１６２、および偏光フィルタ１６１が、この順に配されている。遮光膜１６３は、カラーフィルタ（１５３ｒ，１５３ｇ，１５３ｂ）と同一の層に形成されている。
【００７８】
カラーフィルタ１５３ｒは、赤色の波長の光を透過させるフィルタである。カラーフィルタ１５３ｇは、緑色の波長の光を透過させるフィルタである。カラーフィルタ１５３ｂは、青色の波長の光を透過させるフィルタである。ここで、フォトダイオード１４５は、カラーフィルタ１５３ｂに対向する位置に配されている。
【００７９】
タッチパネル１４０は、外光やバックライト１７９などの光源により発せられた光を遮ったり又は当該光を透過させたりすることによって、画像の表示をする。具体的には、タッチパネル１４０は、画素電極１４３ａと対向電極１４３ｂとの間に電圧を印加することにより液晶層１５２の液晶分子の向きを変化させ、上記光を遮ったり、あるいは透過させる。ただし、液晶だけでは光を完全に遮ることができないため、特定の偏光方向の光のみを透過させる偏光フィルタ１６１を配置している。
【００８０】
なお、フォトダイオード１４５の位置は、上記の位置に限定されるものではなく、カラーフィルタ１５３ｒに対向する位置やカラーフィルタ１５３ｇに対向する位置に設けることも可能である。
【００８１】
ここで、光センサ回路１４４の動作について説明する。図６は、光センサ回路１４４を動作させる際のタイミングチャートを示した図である。図６において、電圧ＶＩＮＴは、光センサ回路１４４内のノードＮにおける電位を示している。また、電圧ＶＰＩＸは、図４に示したセンサ信号線ＳＳｊからの出力電圧であって、アンプ１３５によって増幅される前の電圧を示している。
【００８２】
以下では、光センサ回路１４４をリセットするためのリセット期間と、光センサ回路１４４を用いて光をセンシングするためのセンシング期間と、センシングした結果を読み出す読出期間とに分けて説明する。
【００８３】
まず、リセット期間について説明する。リセット期間においては、リセット信号線ＲＳｉに印加する電圧を、ローレベル（電圧ＶＳＳＲ）からハイレベル（電圧ＶＤＤＲ）へと瞬間的に切り換える。一方、読出信号線ＲＷｉに印加する電圧は、ローレベル（電圧ＶＳＳＲ）のままとする。このように、リセット信号線ＲＳｉに上記ハイレベルの電圧を印加することにより、フォトダイオード１４５の順方向（アノード側からカソード側）に電流が流れ始める。その結果、ノードＮの電位である電圧ＶＩＮＴは、以下の式（１）で示す値となる。なお、式（１）では、フォトダイオード１４５における順方向の電圧降下量をＶｆとしている。
【００８４】
ＶＩＮＴ＝ＶＳＳＲ＋｜ＶＤＤＲ−ＶＳＳＲ｜−Ｖｆ  …  （１）
それゆえ、ノードＮの電位は、図６に示すとおり、電圧ＶＤＤＲよりもＶｆだけ小さな値となる。
【００８５】
ここで、電圧ＶＩＮＴは、ＴＦＴ１４７のゲートをターンオンさせる閾値以下であるため、センサ信号線ＳＳｊからの出力はない。このため、電圧ＶＰＩＸは変化しない。また、コンデンサ１４６の電極間には、上記電圧ＶＩＮＴ分の差が生じる。このため、コンデンサ１４６には、当該差に応じた電荷が蓄積される。
【００８６】
次に、センシング期間について説明する。リセット期間に続くセンシング期間においては、リセット信号線ＲＳｉに印加する電圧は、ハイレベル（電圧ＶＤＤＲ）からローレベル（電圧ＶＳＳＲ）へと瞬間的に切り換わる。一方、読出信号線ＲＷｉに印加する電圧は、ローレベル（電圧ＶＳＳＲ）のままとする。
【００８７】
このように、リセット信号線ＲＳｉに印加する電圧をローレベルに変化させることにより、ノードＮの電位は、リセット信号線ＲＳｉの電圧および読出信号線ＲＷｉの電圧よりも高くなる。このため、フォトダイオード１４５においては、カソード側の電圧がアノード側の電圧よりも高くなる。つまり、フォトダイオード１４５は、逆バイアスの状態となる。このような逆バイアスの状態において、光源からの光をフォトダイオード１４５が受光すると、フォトダイオード１４５のカソード側からアノード側へと電流が流れ始める。その結果、図６に示すとおり、ノードＮの電位（つまり、電圧ＶＩＮＴ）は時間の経過とともに低くなる。
【００８８】
なお、このように電圧ＶＩＮＴが低下し続けるため、ＴＦＴ１４７のゲートはターンオンした状態にはならない。それゆえ、センサ信号線ＳＳｊからの出力はない。このため、電圧ＶＰＩＸは変化しない。
【００８９】
次に、読出期間について説明する。センシング期間に続く読出期間においては、リセット信号線ＲＳｉに印加する電圧をローレベル（電圧ＶＳＳＲ）のままとする。一方、読出信号線ＲＷｉに印加する電圧は、ローレベル（電圧ＶＳＳＲ）からハイレベル（電圧ＶＤＤ）へと瞬間的に切り換わる。ここで、電圧ＶＤＤは、電圧ＶＤＤＲよりも高い値である。
【００９０】
このように、読出信号線ＲＷｉにハイレベルの電圧を瞬間的に印加することにより、図６に示すとおり、コンデンサ１４６を介してノードＮの電位が引き上げられる。なお、ノードＮの電位の上昇幅は、読出信号線ＲＷｉに印加する電圧に応じた値となる。ここで、ノードＮの電位（つまり、電圧ＶＩＮＴ）が、ＴＦＴ１４７のゲートをターンオンさせる閾値以上まで引き上げられるため、ＴＦＴ１４７のゲートがターンオンする。
【００９１】
この際、ＴＦＴ１４７のドレイン側に接続されたセンサ信号線ＳＤｊ（図４参照）に予め一定電圧を印加しておけば、ＴＦＴ１４７のソース側に接続されたセンサ信号線ＳＳｊからは、図６のＶＰＩＸのグラフに示すとおり、ノードＮの電位に応じた電圧が出力される。
【００９２】
ここで、フォトダイオード１４５が受光する光の量（以下、受光量と称する）が少ないと、図６のＶＩＮＴのグラフに示す直線の傾きが緩やかになる。その結果、電圧ＶＰＩＸは、受光量が多い場合に比べて高くなる。このように、光センサ回路１４４は、フォトダイオード１４５の受光量に応じて、センサ信号線ＳＳｊに出力する電圧の値を変化させる。
【００９３】
ところで、上記においては、ｍ×ｎ個存在する光センサ回路のうち、１つの光センサ回路１４４に着目して、その動作を説明した。以下では、タッチパネル１４０における各光センサ回路の動作について説明する。
【００９４】
まず、光センサ駆動回路１３３は、ｎ個のセンサ信号線（ＳＤ１〜ＳＤｎ）の全てに対して、予め定められた電圧を印加する。次に、光センサ駆動回路１３３は、リセット信号線ＲＳ１に対して、通常よりもハイレベルな電圧ＶＤＤＲを印加する。なお、他のリセット信号線（ＲＳ２〜ＲＳｍ）および読出信号線（ＲＷ１〜ＲＷｍ）については、ローレベルの電圧を印加したままの状態とする。これにより、図４における１行目のｎ個の光センサ回路が、上述したリセット期間に入る。その後、１行目のｎ個の光センサ回路は、センシング期間に入る。さらに、その後、１行目のｎ個の光センサ回路は、読出期間に入る。
【００９５】
なお、ｎ個のセンサ信号線（ＳＤ１〜ＳＤｎ）の全てに対して予め定められた電圧を印加するタイミングは、上記のタイミングに限定されず、少なくとも読出期間前に印加されるタイミングであればよい。
【００９６】
１行目のｎ個の光センサ回路の読出期間が終了すると、光センサ駆動回路１３３は、リセット信号線ＲＳ２に対して、通常よりもハイレベルな電圧ＶＤＤＲを印加する。つまり、２行目のｎ個の光センサ回路のリセット期間に入る。リセット期間が終了すると、２行目のｎ個の光センサ回路は、センシング期間に入り、その後は、読出期間に入る。
【００９７】
以降は、上述した処理が、順に、３行目のｎ個の光センサ回路、４行目のｎ個の光センサ回路、…ｍ行目のｎ個の光センサ回路に対して行われる。その結果、センサ信号線（ＳＳ１〜ＳＳｎ）からは、１行目のセンシング結果、２行目のセンシング結果、…、ｍ行目のセンシング結果が、この順に出力される。
【００９８】
なお、表示装置１０２においては、上記のように行毎にセンシングが行われるとともに、行毎にセンシング結果がタッチパネル１４０から出力される。このため、以下では、タッチパネル１４０から出力される１行目からｍ行目までのｍ行分の電圧に関するデータに対して、信号処理部１８３が上述したデータ処理を行った後のデータを、「スキャンデータ」と称する。つまり、スキャンデータとは、スキャン対象物（たとえば、ユーザの指）をスキャンすることにより得られる画像データを指す。また、当該スキャンデータに基づいて表示された画像を、「スキャン画像」と称する。さらに、以下では、センシングを「スキャン」と称する。
【００９９】
また、上記においては、ｍ×ｎ個の光センサ回路全てを用いてスキャンを行なう構成を例に挙げたが、これに限定されるものではない。予め選択された光センサ回路を用いて、タッチパネル１４０の表面の一部の領域に関してスキャンを行なうことも構成としてもよい。
【０１００】
以下では、電子機器１００が、両構成のいずれの構成をも採れるものとする。さらに、当該構成間の切り換えは、操作キー１７７を介した入力などに基づく本体装置１０１から送られてくるコマンドにより行われるものとする。なお、タッチパネル１４０の表面の一部の領域に関してスキャンを行なう場合、画像処理エンジン１８０が、スキャン対象領域の設定を行なう。なお、当該領域の設定を、操作キー１７７を介してユーザが指定できる構成としてもよい。
【０１０１】
このように、タッチパネル１４０の表面の一部の領域に関してスキャンを行なう場合には、画像の表示に関し、以下のような利用の態様がある。１つ目は、上記一部の領域（以下、スキャン領域と称する）以外の表面の領域において、画像を表示させる態様である。２つ目は、上記スキャン領域以外の表面の領域において、画像を表示させない態様である。いずれの態様とするかは、本体装置１０１から画像処理エンジン１８０に送られてくるコマンドに基づく。
【０１０２】
図７は、タッチパネル１４０とバックライト１７９との断面図であって、スキャンの際にフォトダイオード１４５がバックライト１７９からの光を受光する構成を示した図である。
【０１０３】
図７を参照して、ユーザの指９００がタッチパネル１４０の表面に接触している場合、バックライト１７９から発せられた光の一部は、当該接触している領域ではユーザの指９００（略平面）にて反射される。そして、フォトダイオード１４５は、当該反射された光を受光する。
【０１０４】
また、指９００が接触していない領域においても、バックライト１７９から発せられた光の一部は、ユーザの指９００にて反射される。この場合においても、フォトダイオード１４５は、当該反射された光を受光する。ただし、当該領域においてはタッチパネル１４０の表面に指９００が接触していないため、指９００が接触している領域よりも、フォトダイオード１４５の受光量は少なくなる。なお、バックライト１７９から発せられた光のうち、ユーザの指９００に到達しない光のほとんどについては、フォトダイオード１４５は受光できない。
【０１０５】
ここで、バックライト１７９を、少なくともセンシング期間においては点灯させておくことにより、光センサ回路１４４は、ユーザの指９００により反射した光の光量に応じた電圧をセンサ信号線ＳＳｊから出力することができる。このように、バックライト１７９の点灯と消灯とを制御することにより、タッチパネル１４０では、指９００の接触位置、指９００の接触している範囲（指９００の押圧力によって定まる）、タッチパネル１４０の表面に対する指９００の方向などに応じて、センサ信号線（ＳＳ１からＳＳｎ）から出力される電圧が変化することになる。
【０１０６】
以上により、表示装置１０２は、指９００によって光が反射されることにより得られる像（以下、反射像とも称する）をスキャンすることができる。なお、指９００以外のスキャン対象物としては、スタイラスペン９９などが挙げられる。
【０１０７】
ところで、本実施の形態においては、電子機器１００の表示装置としてタッチパネルを例に挙げて説明しているが、タッチパネルの代わりに有機ＥＬ（Electro-Luminescence）パネルなどの他のパネルを用いてもよい。
【０１０８】
＜データについて＞
次に、センシングコマンドについて説明する。なお、表示装置１０２においては、画像処理エンジン１８０は、センシングコマンドの内容を解析し、当該解析の結果に従ったデータ（つまり、応答データ）を本体装置１０１に送り返す。
【０１０９】
図８は、センシングコマンドの概略構成を示した図である。図８を参照して、センシングコマンドは、ヘッダのデータ領域ＤＡ０１と、タイミングを示すデータ領域ＤＡ０２と、データ種別を示すデータ領域ＤＡ０３と、読取方式を示すデータ領域ＤＡ０４と、画像階調を示すデータ領域ＤＡ０５と、解像度を示すデータ領域ＤＡ０６と、予備のデータ領域ＤＡ０７とを含む。
【０１１０】
図９は、センシングコマンドの各領域におけるデータの値と、当該値が示す意味内容とを示した図である。
【０１１１】
図９を参照して、タイミングを示すデータ領域に「００」が設定されたセンシングコマンドは、画像処理エンジン１８０に対して、そのときのスキャンデータの送信を要求する。つまり、センシングコマンドは、当該センシングコマンドを画像処理エンジン１８０が受信した後に、光センサ回路１４４を用いてスキャンすることにより得られるスキャンデータの送信を要求する。また、タイミングを示すデータ領域に「０１」が設定されたセンシングコマンドは、スキャン結果に変化があったときのスキャンデータの送信を要求する。さらに、タイミングを示すデータ領域に「１０」が設定されたセンシングコマンドは、一定周期毎にスキャンデータの送信を要求する。
【０１１２】
データ種別を示すデータ領域に「００１」が設定されたセンシングコマンドは、部分画像における中心座標の座標値の送信を要求する。また、データ種別を示すデータ領域に「０１０」が設定されたセンシングコマンドは、スキャン結果が変化した部分画像のみの送信を要求する。なお、スキャン結果が変化したとは、前回のスキャン結果と今回のスキャン結果が異なっていることを指す。さらに、データ種別を示すデータ領域に「１００」が設定されたセンシングコマンドは、全体画像の送信を要求する。
【０１１３】
ここで、「全体画像」とは、ｍ×ｎ個の光センサ回路を用いてスキャンした際に、各光センサ回路から出力される電圧に基づいて、画像処理エンジン１８０により生成された画像である。また、「部分画像」とは、全体画像の一部である。部分画像に関して、スキャン結果が変化した部分画像のみの送信を要求する構成とした理由については後述する。
【０１１４】
なお、上記座標値と上記部分画像または上記全体画像とを同時に要求する構成としてもよい。また、タッチパネル１４０の表面の一部の領域に関してスキャンを行なう構成の場合には、上記全体画像はスキャンが行われる領域に対応した画像となる。
【０１１５】
読取方式を示すデータ領域に「００」が設定されたセンシングコマンドは、バックライト１７９を点灯してスキャンすることを要求する。また、読取方式を示すデータ領域に「０１」が設定されたセンシングコマンドは、バックライト１７９を消灯してスキャンすることを要求する。なお、バックライト１７９を消灯してスキャンする構成については後述する（図１３）。さらに、読取方式を示すデータ領域に「１０」が設定されたセンシングコマンドは、反射と透過とを併用してスキャンすることを要求する。なお、反射と透過とを併用するとは、バックライト１７９を点灯してスキャンする方式と、バックライトを消灯してスキャンする方式とを切り換えて、スキャン対象物のスキャンを行なうことを指す。
【０１１６】
画像階調を示すデータ領域に「００」が設定されたセンシングコマンドは、白黒の２値の画像データを要求する。たとえば、ＣＰＵ１１０が、接触領域を示すデータとして２値画像データを画像処理エンジン１８０に要求してもよい。画像処理エンジン１８０が、後述する取得部１１１を実現してもよい。また、画像階調を示すデータ領域に「０１」が設定されたセンシングコマンドは、多階調の画像データを要求する。さらに、画像階調を示すデータ領域に「１０」が設定されたセンシングコマンドは、ＲＧＢのカラーの画像データを要求する。
【０１１７】
解像度を示すデータ領域に「０」が設定されたセンシングコマンドは、解像度の高い画像データを要求する。また、解像度を示すデータ領域に「１」が設定されたセンシングコマンドは、解像度の低い画像データを要求する。
【０１１８】
また、センシングコマンドには、図８および図９に示したデータ以外に、スキャンを行なう領域（光センサ回路１４４を駆動する画素の領域）の指定、スキャンを行なうタイミング、バックライト１７９の点灯のタイミングなどが記述されている。
【０１１９】
図１０は、応答データの概略構成を示した図である。応答データは、センシングコマンドの内容に応じたデータであって、表示装置１０２の画像処理エンジン１８０が本体装置１０１に対して送信するデータである。
【０１２０】
図１０を参照して、応答データは、ヘッダのデータ領域ＤＡ１１と、座標を示すデータ領域ＤＡ１２と、時刻を示すデータ領域ＤＡ１３と、画像を示すデータ領域ＤＡ１４とを含む。ここで、座標を示すデータ領域ＤＡ１２には、部分画像の中心座標の値が書き込まれる。また、時刻を示すデータ領域には、画像処理エンジン１８０のタイマ１８２から取得した時刻情報が書き込まれる。さらに、画像を示すデータ領域には、画像処理エンジン１８０により処理がされた後の画像データ（つまり、スキャンデータ）が書き込まれる。
【０１２１】
図１１は、指９００をスキャンすることにより得られた画像（つまり、スキャン画像）を示した図である。図１１を参照して、太実線で囲まれた領域Ｗ１の画像が全体画像であり、破線で囲まれた領域Ｐ１の画像が部分画像である。また、太線で示した十字の中心点Ｃ１が、中心座標となる。
【０１２２】
本実施の形態では、矩形の領域であって、かつセンサ信号線ＳＳｊからの出力電圧が予め定められた値以上となった光センサ回路が備えられた画素（つまり、予め定められた階調または予め定められた輝度以上の画素）全てを含む領域を、部分画像の領域としている。
【０１２３】
また、中心座標は、部分画像の領域における各画素の階調を考慮して決定される座標である。具体的には、中心座標は、部分画像内の各画素に関し、画素の階調と、当該画素と上記矩形の中心点（つまり図心）との距離とに基づき、重み付け処理を行なうことにより決定される。つまり、中心座標は、部分画像の図心とは必ずしも一致しない。
【０１２４】
ただし、必ずしも中心座標の位置は上記に限定されるものではなく、中心座標を上記図心の座標あるいは図心の近傍の座標としてもよい。
【０１２５】
センシングコマンドのデータ種別を示すデータ領域に「００１」が設定されている場合には、画像処理エンジン１８０は、座標を示すデータ領域ＤＡ１２に上記中心座標の値を書き込む。この場合、画像処理エンジン１８０は、画像を示すデータ領域ＤＡ１４には画像データを書き込まない。画像処理エンジン１８０は、上記中心座標の値の書き込みを行なった後、当該中心座標の値を含む応答データを本体装置１０１に送る。このように、データ種別を示すデータ領域に「００１」が設定されている場合には、センシングコマンドは、画像データの出力を要求せずに、中心座標の値の出力を要求する。
【０１２６】
また、センシングコマンドのデータ種別を示すデータ領域に「０１０」が設定されている場合には、画像処理エンジン１８０は、画像を示すデータ領域ＤＡ１４に、スキャン結果が変化した部分画像の画像データを書き込む。この場合、画像処理エンジン１８０は、中心座標の値を座標を示すデータ領域ＤＡ１２に書き込まない。画像処理エンジン１８０は、上記スキャン結果が変化した部分画像の画像データの書き込みを行なった後、当該部分画像の画像データを含む応答データを本体装置１０１に送る。このように、データ種別を示すデータ領域に「０１０」が設定されている場合には、センシングコマンドは、中心座標の値の出力を要求せずに、スキャン結果が変化した部分画像の画像データの出力を要求する。
【０１２７】
なお、上記のように、スキャン結果が変化した部分画像のみの送信を要求する構成とした理由は、スキャンデータのうち部分画像の領域のスキャンデータが、当該領域以外のスキャンデータよりも重要度の高いデータであること、および、指９００などのスキャン対象物との接触状態により、スキャンデータのうち部分画像の領域に相当する領域のスキャンデータが変化しやすいことによる。
【０１２８】
また、センシングコマンドのデータ種別を示すデータ領域に「０１１」が設定されている場合には、画像処理エンジン１８０は、座標を示すデータ領域ＤＡ１２に中心座標の値を書き込むとともに、画像を示すデータ領域ＤＡ１４にスキャン結果が変化した部分画像の画像データを書き込む。その後、画像処理エンジン１８０は、当該中心座標の値と当該部分画像の画像データとを含む応答データを本体装置１０１に送る。このように、データ種別を示すデータ領域に「０１１」が設定されている場合には、センシングコマンドは、中心座標の値の出力と、スキャン結果が変化した部分画像の画像データの出力とを要求する。
【０１２９】
また、センシングコマンドのデータ種別を示すデータ領域に「１００」が設定されている場合には、画像処理エンジン１８０は、図１０に示した応答データの画像を示すデータ領域ＤＡ１４に、全体画像の画像データを書き込む。この場合、画像処理エンジン１８０は、中心座標の値を座標を示すデータ領域ＤＡ１２に書き込まない。画像処理エンジン１８０は、上記全体画像の画像データの書き込みを行なった後、当該全体画像の画像データを含む応答データを本体装置１０１に送る。このように、データ種別を示すデータ領域に「１００」が設定されている場合には、センシングコマンドは、中心座標の値の出力を要求せずに、全体画像の画像データの出力を要求する。
【０１３０】
また、センシングコマンドのデータ種別を示すデータ領域に「１０１」が設定されている場合には、画像処理エンジン１８０は、座標を示すデータ領域ＤＡ１２に中心座標の値を書き込むとともに、画像を示すデータ領域ＤＡ１４に全体画像の画像データを書き込む。その後、画像処理エンジン１８０は、当該中心座標の値と当該全体画像の画像データとを含む応答データを本体装置１０１に送る。このように、データ種別を示すデータ領域に「１０１」が設定されている場合には、センシングコマンドは、中心座標の値の出力と、全体画像の画像データの出力とを要求する。
【０１３１】
＜変形例について＞
ところで、タッチパネル１４０の構成は、図４に示した構成に限定されるものではない。以下では、図４とは異なる態様のタッチパネルについて説明する。
【０１３２】
図１２は、上記異なる態様である光センサ内蔵液晶パネル１４０Ａの回路図である。図１２を参照して、光センサ内蔵液晶パネル１４０Ａ（タッチパネル１４０Ａ）は、１画素内に３つの光センサ回路（１４４ｒ，１４４ｇ，１４４ｂ）を含んでいる。このようにタッチパネル１４０Ａが１画素内に３つの光センサ回路（１４４ｒ，１４４ｇ，１４４ｂ）を含む点において、タッチパネル１４０Ａは、１画素内に１つの光センサ回路を含むタッチパネル１４０と異なる。なお、光センサ回路１４４の構成と、３つの各光センサ回路（１４４ｒ，１４４ｇ，１４４ｂ）との構成は同じである。
【０１３３】
また、１画素内における３つのフォトダイオード（１４５ｒ，１４５ｇ，１４５ｂ）は、それぞれ、カラーフィルタ１５３ｒ、カラーフィルタ１５３ｇ、カラーフィルタ１５３ｂに対向する位置に配されている。それゆえ、フォトダイオード１４５ｒは赤色の光を受光し、フォトダイオード１４５ｇは緑色の光を受光し、フォトダイオード１４５ｂは青色の光を受光する。
【０１３４】
また、タッチパネル１４０は１画素内において１つの光センサ回路１４４しか含まないため、１画素内に配設されるＴＦＴ１４７用のデータ信号線は、センサ信号線ＳＳｊとセンサ信号線ＳＤｊとの２本であった。しかしながら、タッチパネル１４０Ａは１画素内において３つの光センサ回路（１４４ｒ，１４４ｇ，１４４ｂ）を含むため、１画素内に配設されるＴＦＴ（１４７ｒ，１４７ｇ，１４７ｂ）用のデータ信号線は６本となる。
【０１３５】
具体的には、カラーフィルタ１５３ｒに対向する位置に配されたフォトダイオード１４５ｒのカソードに接続されたＴＦＴ１４７ｒに対応して、センサ信号線ＳＳＲｊとセンサ信号線ＳＤＲｊとが配設される。また、カラーフィルタ１５３ｇに対向する位置に配されたフォトダイオード１４５ｇのカソードに接続されたＴＦＴ１４７ｇに対応して、センサ信号線ＳＳＧｊとセンサ信号線ＳＤＧｊとが配設される。さらに、カラーフィルタ１５３ｂに対向する位置に配されたフォトダイオード１４５ｂのカソードに接続されたＴＦＴ１４７ｂに対応して、センサ信号線ＳＳＢｊとセンサ信号線ＳＤＢｊとが配設される。
【０１３６】
このようなタッチパネル１４０Ａにおいては、バックライト１７９から照射された白色光は、３つのカラーフィルタ（１５３ｒ，１５３ｇ，１５３ｂ）を透過し、タッチパネル１４０Ａの表面では、赤、緑、および青とが混ざり白色光となる。ここで、スキャン対象物により白色光が反射されると、スキャン対象物の表面の色素に白色光の一部が吸収され、また一部が反射される。そして、反射された光は、再度、３つのカラーフィルタ（１５３ｒ，１５３ｇ，１５３ｂ）を透過する。
【０１３７】
この際、カラーフィルタ１５３ｒは赤色の波長の光を透過し、フォトダイオード１４５ｒは、当該赤色の波長の光を受光する。また、カラーフィルタ１５３ｇは緑色の波長の光を透過し、フォトダイオード１４５ｇは、当該緑色の波長の光を受光する。また、カラーフィルタ１５３ｂは青色の波長の光を透過し、フォトダイオード１４５ｂは、当該青色の波長の光を受光する。つまり、スキャン対象物によって反射された光は３つのカラーフィルタ（１５３ｒ，１５３ｇ，１５３ｂ）によって３原色（Ｒ，Ｇ，Ｂ）に色分解され、各フォトダイオード（１４５ｒ，１４５ｇ，１４５ｂ）は、それぞれに対応した色の光を受光する。
【０１３８】
スキャン対象物の表面の色素に白色光の一部が吸収されると、各フォトダイオード（１４５ｒ，１４５ｇ，１４５ｂ）の受光量が各フォトダイオード（１４５ｒ，１４５ｇ，１４５ｂ）で異なることになる。このため、センサ信号線ＳＳＲｊとセンサ信号線ＳＳＧｊとセンサ信号線ＳＳＢｊとの出力電圧は互いに異なる。
【０１３９】
それゆえ、各出力電圧に応じて、Ｒの階調とＧの階調とＢの階調とを画像処理エンジン１８０が決定することにより、画像処理エンジン１８０はＲＧＢのカラー画像を本体装置１０１へ送ることができる。
【０１４０】
以上述べたように、電子機器１００がタッチパネル１４０Ａを備えた構成とすることにより、スキャン対象物をカラーでスキャンできることになる。
【０１４１】
次に、図７を参照して説明したスキャンの方法（つまり、反射像をスキャンする方法）とは異なるスキャンの方法について、図１３を参照して説明する。
【０１４２】
図１３は、スキャンの際にフォトダイオードが外光を受光する構成を示した断面図である。図１３を参照して、外光の一部は、指９００によって遮られる。それゆえ、指９００と接触しているタッチパネル１４０の表面領域の下部に配されたフォトダイオードは、ほとんど外光を受光できない。また、指９００の影が形成された表面領域の下部に配されたフォトダイオードは、ある程度の外光を受光できるものの、影が形成されていない表面領域に比べると外光の受光量が少ない。
【０１４３】
ここで、バックライト１７９を、少なくともセンシング期間においては消灯させておくことにより、光センサ回路１４４は、タッチパネル１４０の表面に対する指９００の位置に応じた電圧をセンサ信号線ＳＳｊから出力することができる。このように、バックライト１７９を点灯と消灯とを制御することにより、タッチパネル１４０では、指９００の接触位置、指９００の接触している範囲（指９００の押圧力によって定まる）、タッチパネル１４０の表面に対する指９００の方向などに応じて、センサ信号線（ＳＳ１からＳＳｎ）から出力される電圧が変化することになる。
【０１４４】
以上により、表示装置１０２は、指９００によって外光が遮られることにより得られる像（以下、影像とも称する）をスキャンすることができる。
【０１４５】
さらに、表示装置１０２を、バックライト１７９を点灯させてスキャンを行った後に、バックライト１７９を消灯させて再度スキャンを行なう構成としてもよい。あるいは、表示装置１０２を、バックライト１７９を消灯させてスキャンを行った後に、バックライト１７９を点灯させて再度スキャンを行なう構成としてもよい。
【０１４６】
この場合には、２つのスキャン方式を併用することになるため、２つのスキャンデータを得ることができる。それゆえ、一方のスキャン方式のみを用いてスキャンする場合に比べて、精度の高い結果を得ることができる。
【０１４７】
＜電子機器１００の機能構成＞
次に、本実施の形態に係る電子機器１００の機能構成について説明する。図１４は、本実施の形態に係る電子機器１００の機能構成を示すブロック図である。
【０１４８】
図１４を参照して、電子機器１００は、取得部１１１と、面積判断部１１２と、時間判断部１１３と、表示制御部１１４とを含む。また、電子機器１００は、図３にも示したように、ＲＡＭ１７１と、タッチパネル１４０とを含む。
【０１４９】
まず、複数の光センサ回路１４４のそれぞれは、入射光を受光して、当該入射光に応じた電気信号を生成する。複数の光センサ回路１４４は全体として、画像処理エンジン１８０（図３）などを介して、タッチパネル１４０に入力される景色に対応する画像データを取得部１１１に入力する。
【０１５０】
複数の画素回路１４１のそれぞれは、画像処理エンジン１８０を介して、表示制御部１１４からの画像データに基づき、外部に可視光を発する。より詳細には、複数の画素回路１４１は全体として、画像処理エンジン１８０（図３）などを介して、表示制御部１１４からの画像データ（電気信号）に基づいて、バックライト１７９からの光を利用しながら手書き画像やテキストなどを表示する。
【０１５１】
ＲＡＭ１７１は、画像処理エンジン１８０からの画像データ１７１Ａや、当該画像データ１７１Ａが取得された取得時間１７１Ｂを記憶する。たとえば、ＲＡＭ１７１は、画像処理エンジン１８０からの各センサタイミングにおける接触領域を示す画像データや、一連の当該接触領域に対応する手書き画像を示す第２の画像データを記憶する。ＲＡＭ１７１は、一連の接触領域の入力が終了した（途切れた）時刻、すなわちＣＰＵ１１０が接触領域の存在しない画像データを取得した時刻を記憶する。
【０１５２】
以下では、一連の当該接触領域に対応する手書き画像を、ストロークともいう。なお、本実施の形態においては、一連の当該接触領域に対応する手書き画像（ストローク）は、１本の線画像である。より詳細には、ストロークとは、スタイラスペン９９や指９００がタッチパネル１４０に接触してから、スタイラスペン９９や指９００がタッチパネル１４０から持ち上げられるまでの間における、スタイラスペン９９や指９００のタッチパネル１４０表面上での軌跡をいう。
【０１５３】
取得部１１１と、面積判断部１１２と、時間判断部１１３と、表示制御部１１４とは、ＣＰＵ１１０あるいは画像処理エンジン１８０などによって実現される機能である。より詳細には、ＣＰＵ１１０が有する各機能は、ＣＰＵ１１０がＲＡＭ１７１などに記憶される制御プログラムを実行して、図３に示される各ハードウェアを制御することによって実現される機能である。
【０１５４】
取得部１１１は、たとえば、ＣＰＵ１１０によって実現される。取得部１１１は、画像処理エンジン１８０を介して複数の光センサ回路１４４から入力される電気信号に基づいて「２値画像データ」を生成する。たとえば、取得部１１１は、画像処理エンジンからのカラー画像データあるいは多値画像データに基づいて、「２値画像データ」を生成する。あるいは、取得部１１１は、画像処理エンジン１８０から、直接、「２値画像データ」を取得する。
【０１５５】
「２値画像データ」は、接触領域を示す。本実施の形態においては、「２値画像データ」は、外部の物体（スタイラスペン９９あるいは指９００など）のタッチパネル１４０に対する接触領域を「黒画素」として、非接触領域を「白画素」として示す。
【０１５６】
あるいは、取得部１１１は、画像処理エンジン１８０からの画像データに基づいて、２値画像データの代わりに、接触領域と非接触領域との境界を示すデータを接触領域として取得してもよい。
【０１５７】
取得部１１１は、たとえば、図３に示す画像処理エンジン１８０によって実現されてもよい。すなわち、画像処理エンジン１８０によって実現される取得部１１１が、光センサ回路１４４からの電気信号に基づいて２値画像データを生成し、当該２値画像データをＣＰＵ１１０によって実現される面積判断部１１２や時間判断部１１３や表示制御部１１４などに受け渡してもよい。
【０１５８】
前述したように、取得部１１１は、２値画像データ（接触領域）を一時的にＲＡＭ１７１に記憶する。たとえば、取得部１１１は、画像処理エンジン１８０からの画像データに基づいて、ＲＡＭ１７１の２値画像データを最新の２値画像データに更新する。あるいは、取得部１１１は、接触領域が検知されている期間だけ、当該接触領域を示す２値画像データを順次ＲＡＭ１７１に蓄積してもよい。
【０１５９】
面積判断部１１２は、取得部１１１からの接触領域を示すデータに基づいて、接触領域の形状が所定の条件を満たすか否かを判断する。本実施の形態に係る面積判断部１１２は、取得部１１１からの２値画像データに基づいて、黒画素（あるいは白画素）の画素数を計算する。面積判断部１１２は、当該画素数を接触領域の面積として取得する。面積判断部１１２は、ＲＡＭ１７１から第１の所定の値（第１のしきい値）を読み出す。面積判断部１１２は、接触領域の面積が第１の所定の値以上であるか否かを判断する。
【０１６０】
面積判断部１１２は、接触領域の面積が第１の所定の値以上である場合に、指９００がタッチパネル１４０に接触したと判断する。面積判断部１１２は、接触領域の面積が第１の所定の値以上である場合に、２値画像データ毎に「指画像データ」を時間判断部１１３に受け渡す。「指画像データ」の各々は、接触領域の中心座標と、接触領域および非接触領域の境界とを示す。
【０１６１】
なお、電子機器１００が後述する時間判断部１１３の機能を有さない場合、面積判断部１１２は、指画像データを後述するエリア消去命令として表示制御部１１４に直接受け渡してもよい。
【０１６２】
一方、面積判断部１１２は、接触領域の面積が第１の所定の値未満である場合に、スタイラスペン９９がタッチパネル１４０に接触したと判断する。面積判断部１１２は、接触領域の面積が第１の所定の値未満である場合に、２値画像データ毎に「手書き画像データ」を時間判断部１１３と表示制御部１１４とに受け渡す。「手書き画像データ」の各々は、接触領域の中心座標を示す。
【０１６３】
なお、面積判断部１１２は、ＲＡＭ１７１から第２の所定の値（第２のしきい値）を読み出して、２値画像データと第２の所定の値とに基づいて、接触領域の面積が第２の所定の値以上であるか否かを判断してもよい。そして、面積判断部１１２は、接触領域の面積が第２の所定の値以上である場合には、当該接触領域を無視してもよい。すなわち、タッチパネル１４０に対する接触操作がなかったものとみなしてもよい。接触領域の面積が第２の所定の値以上である場合には、「手のひら」などがタッチパネル１４０に接触した可能性が高いからである。
【０１６４】
また、面積判断部１１２は、他の判断基準に基づいて、接触領域の形状が所定の条件を満たすか否かを判断してもよい。たとえば、ＲＡＭ１７１が所定の形状を示す画像データを記憶してもよい。そして、面積判断部１１２が、接触領域の形状と所定の形状とに関してパターンマッチングを行なってもよい。すなわち、面積判断部１１２は、接触領域の形状と所定の形状とがマッチした場合に、接触領域の形状が所定の条件を満たすと判断し、接触領域の形状と所定の形状とがマッチしない場合に、接触領域の形状が所定の条件を満たさないと判断してもよい。
【０１６５】
時間判断部１１３は、面積判断部１１２から順次入力される手書き画像データに基づいて、最新の接触操作が終了した時刻（第１の取得時刻）をＲＡＭ１７１に格納する。たとえば、時間判断部１１３は、面積判断部１１２から手書き画像データを受け付けなくなったときに、最後の手書き画像を受け付けた時刻をＲＡＭ１７１に格納する。
【０１６６】
本実施の形態においては、画像処理エンジン１８０が、タイマ１８２やクロックなどを使用して取得時刻を計測する。そして、画像処理エンジン１８０が、取得時刻を２値画像データとともにＣＰＵ１１０へと受け渡す。
【０１６７】
時間判断部１１３は、面積判断部１１２から指画像データを受け取って、当該指画像データが取得された時刻（第２の取得時刻）をＲＡＭ１７１に格納する。時間判断部１１３は、第１の取得時刻から第２の取得時刻までの時間が、所定の時間未満であるか否かを判断する。
【０１６８】
時間判断部１１３は、第１の取得時刻から第２の取得時刻までの時間が所定の時間以上である場合、指画像データをエリア消去命令として表示制御部１１４に受け渡す。一方、時間判断部１１３は、第１の取得時刻から第２の取得時刻までの時間が所定の時間以上である場合、ストローク消去命令を表示制御部１１４に受け渡す。
【０１６９】
表示制御部１１４は、ＣＰＵ１１０あるいは画像処理エンジン１８０によって実現される。表示制御部１１４は、面積判断部１１２からの手書き画像データに基づいて、タッチパネル１４０に手書き画像を表示させる。
【０１７０】
より詳細には、表示制御部１１４は、手書き画像データ毎に、接触領域の中心座標を取得する。表示制御部１１４は、面積判断部１１２からの手書き画像データの各々に基づいて接触領域の中心座標を計算してもよいし、画像処理エンジン１８０から取得部１１１あるいは面積判断部１１２を介して中心座標を取得してもよい。
【０１７１】
表示制御部１１４は、各センサタイミングに係る接触領域の中心座標に基づいて、タッチパネル１４０とスタイラスペン９９（あるいは指９００）との接触領域の軌跡を取得する。表示制御部１１４は、接触領域の軌跡を線画像（１つのストローク）としてＲＡＭ１７１に記憶するとともに、当該線画像をタッチパネル１４０に表示させる。
【０１７２】
表示制御部１１４は、時間判断部１１３からの指画像データ（エリア消去命令）に基づいて、タッチパネル１４０に、接触領域内の画像が消去された画面を表示させる。すなわち、表示制御部１１４は、時間判断部１１３から順次渡される指画像データに基づいて、タッチパネル１４０に描画されていた手書き画像（線画像）のうち、接触領域内に位置する部分（線画像の一部）を消去する。
【０１７３】
たとえば、表示制御部１１４は、時間判断部１１３からの接触領域と非接触領域との境界を示すデータとに基づいて、接触領域内の線分を消去する。あるいは、表示制御部１１４は、時間判断部１１３からの接触領域の中心座標に基づいて、当該接触領域の中心から所定の半径以内に位置する線分を消去する。具体的には、表示制御部１１４は、時間判断部１１３から順次渡される指画像データに基づいて、ＲＡＭ１７１の画像データ１７１Ａを更新するとともに、更新後の線画像をタッチパネル１４０に表示させる。
【０１７４】
表示制御部１１４は、時間判断部１１３からのストローク消去命令に基づいて、タッチパネル１４０に最新の線画像を消去した画像を表示させる。すなわち、表示制御部１１４は、時間判断部１１３から渡されるストローク消去命令に基づいて、タッチパネル１４０に最後に描画された線画像を消去する。換言すれば、表示制御部１１４は、時間判断部１１３から渡されるストローク消去命令に基づいて、ＲＡＭ１７１の画像データ１７１Ａを更新する。
【０１７５】
このように、本実施の形態に係る電子機器１００は、接触領域の形状に応じて描画命令や消去命令を切り替えるため、ユーザによるタッチパネルを介した画像の編集操作が簡略化される。たとえば、電子機器１００は、タッチパネル１４０を利用することにより、人差し指（接触領域が狭い）による接触操作に応じて線画像を描画し、親指（接触領域が広い）による接触操作に応じて当該線画像の一部あるいは全部を消去するものであってもよい。逆に、電子機器１００は、親指（接触領域が広い）による接触操作に応じて線画像を描画し、人差し指（接触領域が狭い）による接触操作に応じて当該線画像の一部あるいは全部を消去するものであってもよい。
【０１７６】
なお、本実施の形態に係る面積判断部１１２は、タッチパネル１４０および取得部１１１にて２つ以上の接触領域が検知された場合、すなわちスタイラスペン９９（あるいは指９００）と「手のひら」（手９０１）とがタッチパネル１４０に接触した場合、以下のように機能する。すなわち、面積判断部１１２は、画像データ内の面積が最も小さい接触領域の面積と第１の所定の値とに基づいて、接触領域が所定の条件を満たすか否かを判断する。そして、時間判断部１１３が、当該判断結果に基づいて、手書き画像データあるいは指画像データ（エリア消去命令）あるいはストローク消去命令を生成する。
【０１７７】
図１５は、タッチパネル１４０および取得部１１１にて２つ以上の接触箇所が検知された場合の電子機器１００と生成された画像データとを示すイメージ図である。より詳細には、図１５（Ａ）は、スタイラスペン９９と手のひらとがタッチパネル１４０に接触したときの電子機器１００のイメージ図である。図１５（Ｂ）は、スタイラスペン９９と手のひらとがタッチパネル１４０に接触したときに取得される画像データのイメージ図である。図１５（Ｃ）は、指９００と手のひらとがタッチパネル１４０に接触したときの電子機器１００のイメージ図である。図１５（Ｄ）は、指９００と手のひらとがタッチパネル１４０に接触したときに取得される画像データのイメージ図である。
【０１７８】
図１５（Ａ）に示すように、スタイラスペン９９と手のひらとがタッチパネル１４０に接触したとき、タッチパネル１４０と取得部１１１とは図１５（Ｂ）に示す画像データを取得する。このとき、図１５（Ｂ）に示すように、画像データは、スタイラスペン９９とタッチパネル１４０との接触領域Ｔ１と、手のひらとタッチパネル１４０との接触領域Ｔ２とを示す。本実施の形態に係る面積判断部１１２は、接触領域Ｔ２よりも接触領域Ｔ１の方が面積が小さいので、接触領域Ｔ１に関して手書き画像データを生成する。
【０１７９】
図１５（Ｃ）に示すように、指９００と手のひらとがタッチパネル１４０に接触したとき、タッチパネル１４０と取得部１１１とは図１５（Ｄ）に示す画像データを取得する。このとき、図１５（Ｄ）に示すように、画像データは、スタイラスペン９９とタッチパネル１４０との接触領域Ｔ３と、手のひらとタッチパネル１４０との接触領域Ｔ４，Ｔ５とを示す。本実施の形態に係る面積判断部１１２は、接触領域Ｔ４，Ｔ５よりも接触領域Ｔ３の方が面積が小さいので、接触領域Ｔ３に関して指画像データを生成する。
【０１８０】
＜表示処理＞
次に、図３、図１４、図１６を参照して、本実施の形態に係る電子機器１００における表示処理について説明する。なお、図１６は、本実施の形態に係る電子機器１００における表示処理の処理手順を示すイメージ図である。
【０１８１】
本実施の形態においては、タッチパネル１４０に含まれる複数の光センサ回路１４４は、常時、入射光に応じて電気信号を生成する。複数の光センサ回路１４４は、画像処理エンジン１８０を介して、入射光に対応する電気信号（画像データ）をＣＰＵ１１０に入力する。すなわち、取得部１１１として機能するＣＰＵ１１０は、複数の光センサ回路１４４からの電気信号（画像データ）を、画像処理エンジン１８０を介して取得する。
【０１８２】
ＣＰＵ１１０は、画像処理エンジン１８０からの画像データに基づいて接触領域を検知したか否かを判断する（ステップＳ１０２）。ＣＰＵ１１０は、接触領域を検知しない場合（ステップＳ１０２においてＮＯである場合）、ステップＳ１０２からの処理を繰り返す。
【０１８３】
面積判断部１１２として機能するＣＰＵ１１０は、接触領域を検知した場合（ステップＳ１０２においてＹＥＳである場合）、当該接触領域が指９００とタッチパネル１４０との接触を示すか否かを判断する（ステップＳ１０４）。表示制御部１１４として機能するＣＰＵ１１０は、当該接触領域が指９００とタッチパネル１４０との接触を示さない場合、すなわち当該接触領域がスタイラスペン９９とタッチパネル１４０との接触を示す場合（ステップＳ１０４においてＹＥＳである場合）、当該接触領域（第１の接触領域）に基づいてタッチパネル１４０に手書き画像を表示させる。
【０１８４】
ＣＰＵ１１０は、スタイラスペン９９のタッチパネル１４０に対する接触が終了したか否かを判断する（ステップＳ１０８）。ＣＰＵ１１０は、スタイラスペン９９のタッチパネル１４０に対する接触が終了しない場合（ステップＳ１０８においてＮＯである場合）、ステップＳ１０６からの処理を繰り返す。ＣＰＵ１１０は、スタイラスペン９９のタッチパネル１４０に対する接触が終了した場合（ステップＳ１０８においてＹＥＳである場合）、接触が終了した時刻をＲＡＭ１７１に記憶する（ステップＳ１１０）。
【０１８５】
すなわち、ＣＰＵ１１０は、接触領域の面積が所定の値未満である場合、スタイラスペン９９のタッチパネル１４０に対する接触が終了するまで、画像処理エンジン１８０から順次入力される画像データに基づいてタッチパネル１４０によって表示される線画像を更新させる。ＣＰＵ１１０は、ステップＳ１１０の後、ステップＳ１０２からの処理を繰り返す。
【０１８６】
一方、ＣＰＵ１１０は、当該接触領域が指９００とタッチパネル１４０との接触を示す場合（ステップＳ１０４においてＹＥＳである場合）、今回の接触操作が前回の接触操作が終了した時刻から所定の時間内に行われたか否かを判断する（ステップＳ１１２）。ＣＰＵ１１０は、今回の接触操作が前回の接触操作が終了した時刻から所定の時間経過後に行われた場合（ステップＳ１１２においてＹＥＳである場合）、タッチパネル１４０に当該接触領域内の画像（線画像の一部）を消去させる（ステップＳ１１４）。すなわち、ＣＰＵ１１０は、接触領域内の画像を消去した画像をタッチパネル１４０に表示させる。
【０１８７】
ＣＰＵ１１０は、指９００のタッチパネル１４０に対する接触が終了したか否かを判断する（ステップＳ１１６）。ＣＰＵ１１０は、指９００のタッチパネル１４０に対する接触が終了しない場合（ステップＳ１１６においてＮＯである場合）、ステップＳ１１４からの処理を繰り返す。ＣＰＵ１１０は、指９００のタッチパネル１４０に対する接触が終了した場合（ステップＳ１１６においてＹＥＳである場合）、ＣＰＵ１１０は、ステップＳ１０２からの処理を繰り返す。
【０１８８】
すなわち、ＣＰＵ１１０は、接触領域の面積が所定の値以上である場合、指９００のタッチパネル１４０に対する接触が終了するまで、画像処理エンジン１８０から順次入力される画像データに基づいて、タッチパネル１４０上の線画像のうちの接触領域内の画像を消去し続ける。
【０１８９】
ＣＰＵ１１０は、今回の接触操作が前回の接触操作が終了した時刻から所定の時間内に行われた場合（ステップＳ１１２においてＮＯである場合）、タッチパネル１４０に最後に描画された一連の手書き画像（線画像）を消去させる（ステップＳ１１８）。すなわち、ＣＰＵ１１０は、最新の線画像が消去された画面をタッチパネル１４０に表示させる。ＣＰＵ１１０は、ステップＳ１０２からの処理を繰り返す。
【０１９０】
＜その他の実施の形態＞
本発明は、システム或いは装置にプログラムを供給することによって達成される場合にも適用できることはいうまでもない。そして、本発明を達成するためのソフトウェアによって表されるプログラムを格納した記憶媒体を、システム或いは装置に供給し、そのシステム或いは装置のコンピュータ（又はＣＰＵやＭＰＵ）が記憶媒体に格納されたプログラムコードを読出し実行することによっても、本発明の効果を享受することが可能となる。
【０１９１】
この場合、記憶媒体から読出されたプログラムコード自体が前述した実施の形態の機能を実現することになり、そのプログラムコードを記憶した記憶媒体は本発明を構成することになる。
【０１９２】
プログラムコードを供給するための記憶媒体としては、例えば、ハードディスク、光ディスク、光磁気ディスク、ＣＤ−ＲＯＭ、ＣＤ−Ｒ、磁気テープ、不揮発性のメモリカード（ＩＣメモリカード）、ＲＯＭ（マスクＲＯＭ、フラッシュＥＥＰＲＯＭなど）などを用いることができる。
【０１９３】
また、コンピュータが読出したプログラムコードを実行することにより、前述した実施の形態の機能が実現されるだけでなく、そのプログラムコードの指示に基づき、コンピュータ上で稼動しているＯＳ（オペレーティングシステム）などが実際の処理の一部または全部を行い、その処理によって前述した実施の形態の機能が実現される場合も含まれることは言うまでもない。
【０１９４】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施の形態の機能が実現される場合も含まれることは言うまでもない。
【０１９５】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１９６】
９９  スタイラスペン、１００  電子機器、１０１  本体装置、１０２  表示装置、１１０  ＣＰＵ、１１１  取得部、１１２  面積判断部、１１３  時間判断部、１１４  表示制御部、１３０  ドライバ、１３１  走査信号線駆動回路、１３２  データ信号線駆動回路、１３３  光センサ駆動回路、１３４  スイッチ、１３５  アンプ、１４０，１４０Ａ  光センサ内蔵液晶パネル、１４１  画素回路、１４１ｂ，１４１ｇ，１４１ｒ  サブピクセル回路、１４３  電極対、１４３ａ  画素電極、１４３ｂ  対向電極、１４４  光センサ回路、１４５，１４５ｂ，１４５ｇ，１４５ｒ  フォトダイオード、１４６  コンデンサ、１５１Ａ  アクティブマトリクス基板、１５１Ｂ  対向基板、１５２  液晶層、１５３ｂ，１５３ｇ，１５３ｒ  カラーフィルタ、１５７  データ信号線、１６１  偏光フィルタ、１６２  ガラス基板、１６３  遮光膜、１６４  配向膜、１７１  ＲＡＭ、１７１Ａ  画像データ、１７１Ｂ  取得時間、１７３  メモリカードリーダライタ、１７４  通信装置、１７５  マイク、１７６  スピーカ、１７７  操作キー、１７９  バックライト、１８０  画像処理エンジン、１８１  ドライバ制御部、１８２  タイマ、１８３  信号処理部、９００  指、９０１  手、１７３１  メモリカード、ＤＢ１，ＤＢ２  データバス。
【図１】
2010224635.tif 000003
【図２】
2010224635.tif 000004
【図３】
2010224635.tif 000005
【図４】
2010224635.tif 000006
【図５】
2010224635.tif 000007
【図６】
2010224635.tif 000008
【図７】
2010224635.tif 000009
【図８】
2010224635.tif 000010
【図９】
2010224635.tif 000011
【図１０】
2010224635.tif 000012
【図１１】
2010224635.tif 000013
【図１２】
2010224635.tif 000014
【図１３】
2010224635.tif 000015
【図１４】
2010224635.tif 000016
【図１５】
2010224635.tif 000017
【図１６】
2010224635.tif 000018